(57)【特許請求の範囲】
【請求項１】
取付杆に前後へスライド可能に連結した樋支持具本体と、この樋支持具本体を取付杆に固定させるための回転ロック・キーを備えた雨樋支持具であって、
上記取付杆は、その前方に鍵穴部を開設した一対の支持片部を下方に向けて延設しており、
上記樋支持具本体は、長手方向に連続する係止凹部を、その下面に形成しており、
上記回転ロック・キーは、上記一対の支持片部の鍵穴部に挿入されており、これを回動させて、そのシャフト部を上記樋支持具本体の上記係止凹部に下方より係止させることによって上記樋支持具本体を取付杆に固定する構造にしている雨樋支持具。
【請求項２】
取付杆に前後へスライド可能に連結した樋支持具本体と、この樋支持具本体を取付杆に固定させるための回転ロック・キーを備えた雨樋支持具であって、
上記取付杆は、その前方に鍵穴部を開設した一対の支持片部を下方に向けて延設しており、
上記樋支持具本体は、長手方向に連続する係止凹部を、その下面に形成しており、
上記回転ロック・キーは、そのシャフト部を、上面に係止爪を形成した受部材に貫通させた状態で上記一対の支持片部の鍵穴部に挿入されており、これを回動させて、そのシャフト部で上記受部材を持ち上げて、該受部材の係止爪を上記樋支持具本体の上記係止凹部に下方より係止させることによって、上記樋支持具本体を取付杆に固定する構造にしている雨樋支持具。
【請求項３】
請求項１または２において、
上記回転ロック・キーは、弾性部材によって、引き戻し方向に付勢されている雨樋支持具。
【発明の詳細な説明】
【０００１】
【発明の属する技術分野】
本発明は、建造物等の軒先付近に取付けられる雨樋支持具に関し、詳しくは、軒先等に固定される取付杆とスライド可能に連結した樋支持具本体を、回転ロック・キーを回転すれば、上記樋支持具本体を取付杆に圧接固定できる雨樋支持具に関する。
【０００２】
【従来の技術】
図６は、従来の雨樋支持具（縱回転型）を示す側断面図である。
【０００３】
この雨樋支持具１００は、取付杆１０１とスライド可能に連結した樋支持具本体１０２と、上方に上記樋支持具本体１０２と取付杆１０１を圧接固定させるための縱方向に回転する回転ロックレバー１０３を備えている。
【０００４】
また、上記取付杆１０１の前方には、軸孔１１１を開設し、樋支持具本体１０２には、この軸孔１１１に重合する長孔１１２を長手方向に開設している。
【０００５】
また、上記長孔１１２を貫通しない受座１０４を下端に設け、この受座１０４に下端を固着した軸１０５を、下方から上記樋支持具本体１０２の長孔１１２及び取付杆１０１の軸孔１１１に貫通し、この軸１０５の上端には、上記縱方向に回転する回転ロックレバー１０３の一端を枢着している。
【０００６】
そして、図６で示すように、上記回転ロックレバー１０３を縱方向に回転すると、この回転ロックレバー１０３の回転基板１０３ａの円弧部分が、上記取付杆１０１の上面で縱方向に回転することによって、上記軸１０５が引き上げ又は引き下げされる。
【０００７】
そのため、上記回転ロックレバー１０３を一方に回転し、上記軸１０５を引き下げておけば、取付杆１０１と樋支持具本体１０２は、圧接することなく、上記長孔１１２の範囲でスライド可能となる。
【０００８】
そして、樋支持具本体１０２の長さを調整した後、上記回転ロックレバー１０３を他方に向けて縱回転すると、上記軸１０５が引上げられると共に、軸１０５下端の受座１０４も引上げられる。
【０００９】
この受座１０４は、長孔１１２を貫通しないので、上記樋支持具本体１０２に接合してこれを上方に持ち上げる。
【００１０】
したがって、樋支持具本体１０２は、取付杆１０１に圧接固定され、そのスライドを規制できる。
【００１１】
図７は、従来の雨樋支持具（水平回転型）を示す側断面図である。
【００１２】
この雨樋支持具２００は、取付杆２０１とスライド可能に連結した樋支持具本体２０２と、下方に上記樋支持具本体２０２と取付杆２０１を圧接固定させるための受座２０４を介在させた水平方向に回転する回転ロックレバー２０３を備えている。
【００１３】
上記取付杆２０１の前方には、軸孔２１１を開設し、樋支持具本体２０２には、この軸孔２１１に重合する長孔２１２を長手方向に開設している。
【００１４】
また、この樋支持具本体２０２の下面は、鋸刃状に形成されている。
【００１５】
上記受座２０４は、上記樋支持具本体２０２の下面に噛合う爪片部２１４を、上面に備えると共に、受座２０４の下面には膨出部２２４を備え、上記長孔２１２に重合する軸孔を備えている。
【００１６】
回転ロックレバー２０３には、これを水平方向に回転可能な軸２０５の下端を枢着し、この軸２０５を、下方から上記受座２０４の軸孔、樋支持具本体２０２の長孔２１２及び取付杆２０１の軸孔２１１に貫通させて上端を固着している。
【００１７】
そして、図７で示すように、上記回転ロックレバー２０３を水平方向に回転すると、この回転ロックレバー２０３は、上記受座２０４の膨出部２２４に乗り上げ、この受座２０４を押し上げる。
【００１８】
そのため、上記受座２０４の爪片部２１４が、樋支持具本体２０２の下面に噛合する。
【００１９】
したがって、樋支持具本体２０２は、取付杆２０１に圧接固定され、そのスライドを規制できる。
なお、図６及び図７において、Ｔは雨樋支持具１００、２００によって支持された樋である。
【００２０】
【発明が解決しようとする課題】
従来の回転ロックレバー１０３、２０３は、雨樋支持具１００、２００の上方又は下方に設けられていた。
【００２１】
ところが、雨樋支持具１００、２００を設置する場所は様々であり、施工現場においては、上記回転ロックレバー１０３、２０３を雨樋支持具１００、２００の側方で回転させることが望まれる場合もあったが、そのような構造の回転ロックレバーは無かった。
【００２２】
また、仮に上記回転ロックレバー１０３、２０３を雨樋支持具１００、２００の側方で回転させた場合には、巾方向に回転ロックレバー１０３，２０３を押し倒して回転することとなり、巾方向に回転ロックレバーの回転スペースを考慮する必要が生じる。
【００２３】
本発明は、かかる課題を解決することを目的とするもので、狭いスペースでも雨樋支持具の側方から操作できる回転ロック・キーを備えた雨樋支持具を提供する。
【００２４】
【課題を解決するための手段】
上記目的を達成するため提案される請求項１に係る発明は、
取付杆に前後へスライド可能に連結した樋支持具本体と、この樋支持具本体を取付杆に固定させるための回転ロック・キーを備えた雨樋支持具であって、上記取付杆は、その前方に鍵穴部を開設した一対の支持片部を下方に向けて延設しており、上記樋支持具本体は、長手方向に連続する係止凹部を、その下面に形成しており、上記回転ロック・キーは、上記一対の支持片部の鍵穴部に挿入されており、これを回動させて、そのシャフト部を上記樋支持具本体の上記係止凹部に下方より係止させることによって上記樋支持具本体を取付杆に固定する構造にしている。
【００２５】
この発明では、雨樋支持具の側方から、支持片部の鍵穴部に挿入されている回転ロック・キーを回動操作することによって、樋支持具本体を取付杆に対して、スライドさせ、所望の位置に固定できる。また、回転ロック・キーは、側方に倒し込んでロックさせる構造ではないため、雨樋支持具の側方が狭くてもその回転操作を行なうことができる。
【００２６】
また、請求項２に係る発明は、取付杆に前後へスライド可能に連結した樋支持具本体と、この樋支持具本体を取付杆に固定させるための回転ロック・キーを備えた雨樋支持具であって、
上記取付杆は、その前方に鍵穴部を開設した一対の支持片部を下方に向けて延設しており、上記樋支持具本体は、長手方向に連続する係止凹部を、その下面に形成しており、
上記回転ロック・キーは、そのシャフト部を、上面に係止爪を形成した受部材に貫通させた状態で上記一対の支持片部の鍵穴部に挿入されており、これを回動させて、そのシャフト部で上記受部材を持ち上げて、該受部材の係止爪を上記樋支持具本体の上記係止凹部に下方より係止させることによって、上記樋支持具本体を取付杆に固定する構造にしている。
【００２７】
この発明によれば、回転ロック・キーのシャフト部を樋支持具本体の係止凹部に直接係止させた構造の請求項１の雨樋支持具に比して、回転ロック・キーは、係止爪を形成した受部材を持ち上げ、受部材の係止爪を樋支持具本体に形成した係止凹部に係止して固定するので、ロック、ロック解除をスムーズに出来るだけでなく、ロックをより確実に行うことが出来る。
【００２８】
（削除）
【００２９】
更に、請求項３に係る発明は、請求項１または２に適用され、回転ロック・キーは、弾性部材によって、常時引き戻し方向に付勢されているので、樋支持具本体と取付杆とは常時は固定されており、回転ロック・キーを引き出し、回転させることによって、簡単にロック固定を解除して、所望の位置にスライドさせる構造になっている。
【００３０】
【発明の実施の形態】
以下、本発明に係る雨樋支持具を図面に基づき説明する。
【００３１】
図１は、本発明に係る雨樋支持具Ａの一実施例を示す斜視図、図２は、本発明に係る雨樋支持具Ａの一実施例を示す分解斜視図である。
【００３２】
図中１は取付杆、２は樋支持具本体、３は回転ロック・キーを各々示しており、以下、各部材について詳説する。
【００３３】
取付杆１は、建造物の軒先等に固定される取付足板１１の上端中央から前方に向けて足杆１２を延設し、この足杆１２の前方は、段落ち形成した連結片部１３を形成している。
【００３４】
この連結片部１３は、両側を下方に折り曲げて一対の支持片部１４，１４を一体成形している。
【００３５】
この支持片部１４は、取付杆１とは別部材の帯板を断面コ字状に成形し、これを取付杆１の取付足板１１に溶接などで固着して、連結片部１３の両側に設けることもできる。
【００３６】
このように形成した上記一対の支持片部１４，１４の下側には、相対向する位置に図２で示す鍵穴部１４ａ，１４ａを開設している。
【００３７】
この鍵穴部１４ａの丸孔１４ｃの上下（又は左右）には、溝孔１４ｂ，１４ｂが開設されている。
【００３８】
樋支持具本体２は、上記取付杆１とスライド可能な角棒状のスライド板本体２１の前後端に、図示のような樋Ｔを吊下げ支持するための樋前掛止部２２及び樋後掛止部２３を各々備えている。
【００３９】
この樋前掛止部２２及び樋後掛止部２３は、図例のものに限定されず、従来から使用される種々のタイプのものが採用できる。
【００４０】
また、上記スライド板本体２１の下面には、長手方向に係止凹部２１ａ、図例では、鋸刃状に形成した鋸刃部よりなる係止凹部２１ａを設けている。
【００４１】
ここでは、上記樋支持具本体２を全て硬質の樹脂で成形しているが、ステンレスなどの金属板で成形した板状のスライド板本体２１の両側下端縁を鋸刃状や凹凸面に形成することも可能である。
【００４２】
回転ロック・キー３は、回転操作部３３の先端にシャフト部３１を形成した、いわゆる鍵のような形状をしており、ステンレスなどの硬質の金属板で成形されている。そのシャフト部３１は、一方の鍵穴部１４ａの丸孔１４ｃから他方の鍵穴部１４ａを貫通するようにして、鍵穴部１４ａに挿入されており、回転操作部３３の基端部には掛止段部３２が形成されている。
【００４３】
この掛止段部３２は、丸孔１４ｃより十分に大きく、かつ鍵穴部１４ａの丸孔縁部に形成された溝孔１４ｂより小さい寸法に張り出した形状になっている。
【００４４】
なお、上記シャフト部３１は、断面を矩形にしているが、上記シャフト部３１の縱横の長さに差があれば良く、例えば、その断面がラグビーボールのような形状であっても可能である。
【００４５】
このような雨樋支持具Ａによる動作を述べれば、上記回転ロック・キー３のシャフト部３１を水平に位置付けておけば、このシャフト部３１が上記樋支持具本体２を支持すると共に、この樋支持具本体２が取付杆１に前後へスライド可能となる。
【００４６】
そして、樋支持具本体２を適所にスライドさせたときに、上記回転ロック・キー３を回転すれば、そのシャフト部３１も立ち上がり、該シャフト部３１のエッジ部３１ａ，３１ａの一方が、上記樋支持具本体２の係止凹部２１ａに噛合すると共に、樋支持具本体２を僅かに持ち上げる。
【００４７】
このまま、上記回転ロック・キー３を押し込めば、その掛止段部３２が、上記鍵穴部１４ａの溝孔１４ｂを貫通し、回転ロック・キー３の回転が規制され、上記樋支持具本体２は、取付杆１に固定されて、そのスライドが規制される。
【００４８】
一方、回転ロック・キー３を引っ張って上記掛止段部３２を鍵穴部１４ａの溝孔１４ｂから解除すれば回転ロック・キー３の回転が可能となるため、これを回転すれば上記シャフト部３１のエッジ部３１ａ，３１ａによる上記樋支持具本体２の係止凹部２１ａへの食い込みも解除され、樋支持具本体２は、取付杆１と再びスライド可能となり、この状態で取付杆１に対する樋支持具本体２の位置を調整するのである。
【００４９】
図３は、本発明に係る雨樋支持具Ａの他の実施例を示す分解斜視図である。
【００５０】
この実施例は、上記回転ロック・キー３を、弾性部材によって常時、回転ロック・キー３を引き戻し方向に弾性付勢している雨樋支持具Ａを示している。
【００５１】
すなわち、上記回転ロック・キー３は、図１と同様に上記支持片部１４，１４に開設した上記鍵穴部１４ａ，１４ａを貫通され、そのシャフト部３１の先端に、コイルバネ３５を外挿してピン３６等で抜け止め固定されている。
【００５２】
したがって、このような構造によれば、上記回転ロック・キー３を鍵穴部１４ａより引っ張り出せば、上記コイルバネ３５は引き伸ばされて、その弾性復元力を回転ロック・キー３は、引っ張り方向に弾性付勢される。
【００５３】
また、コイルバネ３５は、例示にすぎず、要するに上記回転ロック・キー３を引っ張り方向に弾性付勢できればゴム、板バネなどの他の弾性部材であっても使用できる。
【００５４】
このような構造によれば、回転ロック・キー３は、その掛止段部３２が溝孔１４ｂに挿入され、シャフト部３１が、樋支持具本体２の下面に形成された係止凹部２１ａに係止された状態では、コイルバネ３５の弾性力によって、常時引き戻し方向の弾性力を受けているので、回転ロック・キー３の抜落ちが防止されるだけでなく、係止凹部２１ａとの係止を確実に出来る（ロック状態）。
【００５５】
また、このような状態から、回転ロック・キー３を、コイルバネ３５の弾性力に抗して、引っ張りだすと、掛止段部３２を溝孔１４ｂから容易に抜け出させることができ、この状態で掛止段部３２が溝孔１４ｂに入り込まない水平位置まで回転させると、シャフト部３１と係止凹部２１ａとの係止が解除され、樋支持具本体２を取付杆１に対して自在にスライドさせることが出来る（ロック解除状態）。
【００５６】
図４は、本発明に係る雨樋支持具Ａの更に他の実施例を示す分解斜視図である。
【００５７】
ここで、図１〜３と共通する部位には、同じ符号を付しており、説明を省略する。
【００５８】
この雨樋支持具Ａは、上記樋支持具本体２の上面又は下面に係止凹部２１ａを備えており、この係止凹部２１ａに噛合する爪部４１を設けた受部材４を上記回転ロック・キー３で持ち上げ、上記樋支持具本体２を取付杆１に圧接固定するのである。
【００５９】
上記受部材４は、金属薄板を下方に開放したコ字形に折り曲げ成形してなり、この受部材４の上面には上方に向けて切起こした上記爪部４１が形成されている。
【００６０】
また、受部材４の一対の両片には、横長矩形の貫通孔部４２，４２を対向して開設しており、この貫通孔部４２，４２の短辺４２ａは、上記シャフト部３１の巾高さに等しく形成されている。
【００６１】
このような受部材４は、図５の動作説明図で示すように、上記回転ロック・キー３のシャフト部３１を水平にした状態では、ロックが解除された状態となり、その回転ロック・キー３を回転すれば、上記シャフト部３１が起立された状態になると共に、その縱横差の分ｌだけ上記受部材４を上方に持ち上げる。
【００６２】
したがって、この受部材４の爪部４１が、樋支持具本体２の係止凹部２１ａに噛合すると共に、樋支持具本体２を取付杆１に固定するのである。
【００６３】
このような受部材４を介して上記樋支持具本体２を取付杆１に固定する構造では、上記受部材４が樋支持具本体２を安定して支持することができるうえ、受部材４の爪部４１が係止凹部２１ａに確実に噛合し、樋支持具本体２のスライドを確実に規制できる。
【００６４】
以下、本発明に係る雨樋支持具Ａの施工要領を図１に基き説明すれば、上記取付杆１を軒先等にネジ、釘等で固定する。
【００６５】
次に、取付杆１の支持片部１４，１４間に，上記樋支持具本体２のスライド板本体２１を図のように嵌め入れ、上記回転ロック・キー３のシャフト部３１を水平にしたまま鍵穴部１４ａ，１４ａに貫通して上記樋支持具本体２を支持する。
【００６６】
この状態では、上記樋支持具本体２はアンロック状態であり、上記取付杆１に前後へ自由にスライドすることができ、所望の位置に、この樋支持具本体２を位置づける。
【００６７】
なお、上記樋支持具本体２の係止凹部２１ａに、スライド位置の目安となる数字（不図示）などを刻設しておけば、複数の雨樋支持具Ａの樋支持具本体（不図示）を簡単且つ確実に同位置へ位置づけできる。
【００６８】
そして、上記樋支持具本体２を所望の位置に位置づけた後、雨樋支持具Ａの側方から上記回転ロック・キー３を回転すると、この回転ロック・キー３のシャフト部３１が立ち上がり、そのエッジ部３１ａが樋支持具本体２の係止凹部２１ａに噛合すると共に、この樋支持具本体２を上方に持ち上げ、その位置で樋支持具本体２を取付杆１に圧接固定し、樋支持具本体２をスライド不能に固定する。
【００６９】
このように位置決めして圧接固定された上記樋支持具本体２に、樋Ｔの前後端を、その樋前掛止部２２及び樋後掛止部２３へと順次掛止して、雨樋支持具Ａの施工を終了する。
【００７０】
【発明の効果】
本発明によれば、次のような効果がある。
【００７１】
請求項１に係る雨樋支持具によれば、その側方から回転ロック・キーを回転操作するだけで、雨樋支持具本体を、取付杆に対して、所望の位置にスライドさせて、固定できる。
【００７２】
また、上記回転ロック・キーは、レバーを側方に押し倒してロックする構造ではないため、雨樋支持具の側方が狭い場所でも、簡単な回動操作によって、樋支持具本体を取付杆から引き出し、引っ込めて所望の突出量に固定できる。
【００７３】
請求項２に係る雨樋支持具によれば、回転ロック・キーを回動操作させて受部材を持ち上げて、その受部材に形成した係止爪を、樋支持具本体の下面に形成した係止凹部に係止させて固定する構造にしているので、受部材で樋支持具本体を安定して支持することができるうえ、受部材の係止爪を確実に係止させて確実に固定できる。
【００７４】
（削除）
【００７５】
請求項３に係る雨樋支持具によれば、回転ロック・キーは、弾性部材によって、常時引き戻し方向に付勢されているので、樋支持具本体と取付杆とは常時は固定されており、回転ロック・キーを引き出し、回転させることによって、簡単にロック固定を解除して、所望の位置にスライドさせる構造になっている。そのため、請求項１、２に記載の雨樋支持具の操作性を更に改善するとともに確実に固定することができ、使い勝手のよいものに出来る。
【図面の簡単な説明】
【図１】本発明に係る雨樋支持具の一実施例を示す斜視図
【図２】本発明に係る雨樋支持具の一実施例を示す分解斜視図
【図３】本発明に係る雨樋支持具の他の実施例を示す分解斜視図
【図４】本発明に係る雨樋支持具の更に他の実施例を示す分解斜視図
【図５】図４の動作説明図
【図６】従来の雨樋支持具（縱回転型）を示す側断面図
【図７】従来の雨樋支持具（水平回転型）を示す側断面図
【符号の説明】
Ａ      雨樋支持具
Ｔ      樋
１      取付杆
１４    支持片部
１４ａ  鍵穴部
２      樋支持具本体
２１ａ  係止凹部
３      回転ロック・キー
４      受部材
４１    爪部（係止爪）
【図１】
0004431238.tif 000002
【図２】
0004431238.tif 000003
【図３】
0004431238.tif 000004
【図４】
0004431238.tif 000005
【図５】
0004431238.tif 000006
【図６】
0004431238.tif 000007
【図７】
0004431238.tif 000008